(57)【特許請求の範囲】
【請求項１】
一対以上の導体を設けた外郭を有し、この外郭に保持される接続部材に前記導体を介して電力及び信号の少なくとも一方を供給する配線ダクトを備える配線ダクトシステムにおいて、
前記外郭は、その長手方向に延びるスリット状の開口空間を有し、
前記開口空間を形成する１つの面のみに前記導体が設けられ、前記１つの面に対向するもう１つの面のみに、保持部が設けられ、
前記導体と前記保持部との間に前記接続部材を挿し込むことで、前記接続部材を保持し、
前記接続部材には上下方向の中央から前記配線ダクトの短手方向に水平に延び、前記配線ダクトの開口空間に嵌合する凸部が形成され、当該凸部には、前記接続部材の挿入動作に伴い前記保持部により所定方向に上昇され、その先端部が前記導体と電気的に接触される栓刃が内蔵される、ことを特徴とする配線ダクトシステム。
【請求項２】
前記保持部は、前記長手方向に沿って延びる突起部であることを特徴とする請求項１記載の配線ダクトシステム。
【請求項３】
前記保持部は、前記長手方向に沿って延びる半円柱形状、又は所定形状が複数連続配置されて前記長手方向に延びる形状であることを特徴とする請求項１又は請求項２記載の配線ダクトシステム。
【請求項４】
前記導体は、前記接続部材に電力を供給する一対以上の電力線、及び前記接続部材に通信信号を出力する一対以上の通信線を含んだ複数対で構成されることを特徴とする請求項１乃至請求項３のいずれか一項に記載の配線ダクトシステム。
【請求項５】
前記保持部の前記長手方向に直交する垂直断面は、凸形状、半円形状、三角形状、又は多角形状のいずれかであることを特徴とする請求項１乃至請求項４のいずれか一項に記載の配線ダクトシステム。
【請求項６】
前記導体及び前記保持部は、前記開口空間を形成する面の短手方向中心を通る基準線を中心として、対象となるように配置されることを特徴とする請求項１乃至請求項５のいずれか一項に記載の配線ダクトシステム。
【請求項７】
前記導体及び前記保持部は、前記開口空間を形成する面の短手方向中心を通る基準線を中心として、対象とならないように配置されることを特徴とする請求項１乃至請求項５のいずれか一項に記載の配線ダクトシステム。
【請求項８】
前記保持部は、前記導体と対向する位置に配置されることを特徴とする請求項１乃至請求項７のいずれか一項に記載の配線ダクトシステム。
【請求項９】
前記保持部は、前記導体と対向しない位置に配置されることを特徴とする請求項１乃至請求項７のいずれか一項に記載の配線ダクトシステム。
【請求項１０】
前記長手方向に直交し、前記開口空間の開口に平行となる方向を上下方向とし、
前記配線ダクトには、前記上下方向の所定位置から前記配線ダクトの短手方向に向かって延び、前記接続部材に嵌合する少なくとも１つ以上の凸部が形成され、
前記凸部の上側面及び下側面には、前記導体又は前記保持部が設けられることを特徴とする請求項１乃至請求項９のいずれか一項に記載の配線ダクトシステム。
【請求項１１】
前記凸部の上側面に対となり設けられる前記導体又は前記保持部の短手方向中心と、前記凸部の下側面に対となり設けられる前記導体又は前記保持部の短手方向中心とがずれた位置に配置されることを特徴とする請求項１０記載の配線ダクトシステム。
【発明の詳細な説明】
【技術分野】
【０００１】
本発明は、電気機器に電力及び信号を供給する配線ダクトシステムに関し、特に、弱電仕様の電気機器に電力及び信号を供給する小型の配線ダクトシステムに関する。
【背景技術】
【０００２】
従来より、工場や店舗や事務所の屋内において、天井に配線ダクトを敷設した配線ダクトシステムを設けることが知られている。この配線ダクトシステムでは、様々な照明器具や他の電気器具の電源を任意の位置から取り出すことができ、また照明器具や電気機器のプラグの取り付けや取り外しも容易となる。
【０００３】
上記配線ダクトシステムに用いる配線ダクトに接続される照明器具などの電気機器は一般的に強電仕様であり、従って、配線ダクトの大きさや構造はＪＩＳ規格などの安全規格に準拠する必要がある。例えば、配線ダクトの開口部には構造制約が設けられ、ノイズや火災の発生を防止するため、配線ダクト内に設けられる電力線や通信線間の離隔距離が規格、標準化されている。また、配線ダクトの一側面に設けられた開口部から取り付けられる挿入型のジョイナや回転式のプラグなどの接続部材も構造制約がなされている。
【０００４】
そして、接続部材を回転させるためのスペースをプラグから削減してプラグの小型化、及び配線ダクトの小型化を図った配線ダクト用プラグが知られている（例えば、特許文献１参照）。この配線ダクト用プラグは、図１０に示すように、配線ダクト３０の開口部にプラグ３１を挿し込み、配線ダクト用プラグ３１に設けられた操作レバー３２を使用者が所定方向に回転させる。この操作により、配線ダクト３０内に設けられた電力線と配線ダクト用プラグ３１に設けられた栓刃とが接触し電気的に接続される構造を有している。
【０００５】
そして、近年、強電仕様の電気機器のみでなく、各種センサなど、弱電仕様の電気機器が接続可能な配線ダクトがある。この配線ダクトでは、接続される電気機器が弱電対象となるため、配線ダクト内に設けられる電力線や通信線といった導体間の距離的な制約は抑制され、配線ダクト自体の小型薄型化を図ることができる。
【先行技術文献】
【特許文献】
【０００６】
【特許文献１】特願２０１０−１４３８２１号公報
【発明の概要】
【発明が解決しようとする課題】
【０００７】
しかしながら、上記のような小型薄型の配線ダクトにおいては、配線ダクトに挿し込まれるプラグやジョイナ等の接続部材との接続固定構造が多様であり定まっていないという問題がある。例えば、上記特許文献１に示す配線ダクト用プラグ３１は、配線ダクト用プラグ３１を配線ダクト３０に固定するには操作レバー３２を使用者が回転させる必要があり手間を要する。また、小型薄型の配線ダクトに多くの電気機器や通信機器が接続される場合には、複数の電力線や通信線を配線ダクトに収容できるよう配線ダクトの拡張性を高める必要もあるが、それへの対応が容易ではない。
【０００８】
本発明は、上記問題を解消するものであり、小型の配線ダクトにおいて、プラグなどの接続部材を挿し込むだけで該接続部材を配線ダクトに固定できると共に、電気機器への電力供給や通信信号の伝送をも可能とした配線ダクトシステムを提供することを目的とする。
【課題を解決するための手段】
【０００９】
上記目的を達成するために本発明は、一対以上の導体を設けた外郭を有し、この外郭に保持される接続部材に前記導体を介して電力及び信号の少なくとも一方を供給する配線ダクトを備える配線ダクトシステムにおいて、前記外郭は、その長手方向に延びるスリット状の開口空間を有し、前記開口空間を形成する１つの面のみに前記導体が設けられ、前記１つの面に対向するもう１つの面のみに、保持部が設けられ、前記導体と前記保持部との間に前記接続部材を挿し込むことで、前記接続部材を保持し、前記接続部材には上下方向の中央から前記配線ダクトの短手方向に水平に延び、前記配線ダクトの開口空間に嵌合する凸部が形成され、当該凸部には、前記接続部材の挿入動作に伴い前記保持部により所定方向に上昇され、その先端部が前記導体と電気的に接触される栓刃が内蔵される、ことを特徴とする。
【００１０】
この配線ダクトシステムにおいて、前記保持部は、前記長手方向に沿って延びる突起部であることが好ましい。
【００１１】
この配線ダクトシステムにおいて、前記保持部は、前記長手方向に沿って延びる半円柱形状、又は所定形状が複数連続配置されて前記長手方向に延びる形状であることが好ましい。
【００１２】
この配線ダクトシステムにおいて、前記導体は、前記接続部材に電力を供給する一対以上の電力線、及び前記接続部材に通信信号を出力する一対以上の通信線を含んだ複数対で構成されることが好ましい。
【００１３】
この配線ダクトシステムにおいて、前記保持部の前記長手方向に直交する垂直断面は、凸形状、半円形状、三角形状、又は多角形状のいずれかであることが好ましい。
【００１４】
この配線ダクトシステムにおいて、前記導体及び前記保持部は、前記開口空間を形成する面の短手方向中心を通る基準線を中心として、対象となるように配置されることが好ましい。
【００１５】
この配線ダクトシステムにおいて、前記導体及び前記保持部は、前記開口空間を形成する面の短手方向中心を通る基準線を中心として、対象とならないように配置されることが好ましい。
【００１６】
この配線ダクトシステムにおいて、前記保持部は、前記導体と対向する位置に配置されることが好ましい。
【００１７】
この配線ダクトシステムにおいて、前記保持部は、前記導体と対向しない位置に配置されることが好ましい。
【００１８】
この配線ダクトシステムにおいて、前記長手方向に直交し、前記開口空間の開口に平行となる方向を上下方向とし、前記配線ダクトには、前記上下方向の所定位置から前記配線ダクトの短手方向に向かって延び、前記接続部材に嵌合する少なくとも１つ以上の凸部が形成され、前記凸部の上側面及び下側面には、前記導体又は前記保持部が設けられることが好ましい。
【００１９】
この配線ダクトシステムにおいて、前記凸部の上側面に対となり設けられる前記導体又は前記保持部の短手方向中心と、前記凸部の下側面に対となり設けられる前記導体又は前記保持部の短手方向中心とがずれた位置に配置されることが好ましい。
【発明の効果】
【００２０】
本発明によれば、配線ダクトのスリット状の開口空間にプラグなどの接続部材を挿し込むだけで該接続部材を配線ダクトに固定でき、また、配線ダクトに接続される電気機器への電力供給や通信信号の伝送をも可能とした。
【図面の簡単な説明】
【００２１】
【図１】本発明の実施の形態１に係る配線ダクトシステムの斜視図である。
【図２】同上実施の形態１における配線ダクトの斜視図、（ｂ）同上配線ダクトの断面図、（ｃ）同上配線ダクトの平面図、（ｄ）同上配線ダクトの正面図である。
【図３】（ａ）同上配線ダクトの断面図、（ｂ）同上配線ダクト内に設けられる突起部の説明図、（ｃ）同上突起部の説明図、（ｄ）配線ダクトの他の断面図である。
【図４】（ａ）プラグを同上配線ダクトに挿し込むときの断面図、（ｂ）プラグを同上配線ダクトに挿し込んだ後の断面図である。
【図５】プラグの同上配線ダクトへ挿し込むときの断面図である。
【図６】（ａ）同上実施の形態１の第１の変形例に係る配線ダクトの断面図、（ｂ）同上配線ダクト内に設けられる突起部の説明図、（ｃ）同上突起部の説明図、（ｄ）配線ダクトの他の断面図である。
【図７】（ａ）乃至（ｃ）それぞれ異なる形状をした突起部を有する配線ダクトの断面図である。
【図８】（ａ）本発明の実施の形態２に係る配線ダクトの断面図、（ｂ）配線ダクトの他の断面図、（ｃ）配線ダクトのさらに他の断面図、（ｄ）配線ダクトのさらに他の断面図である。
【図９】（ａ）及び（ｂ）配線ダクトのさらに他の断面図である。
【図１０】従来の配線ダクトに対するプラグの取り付け法を示す斜視図である。
【発明を実施するための形態】
【００２２】
本発明の実施の形態に係る配線ダクトシステムについて図面を参照して説明する。
【００２３】
（実施の形態１）
本発明の実施の形態１に係る配線ダクトシステムについて図面を参照して説明する。図１に示すように、本実施の形態１に係る配線ダクトシステムＳは、配線ダクト１、接続部材の１つであるプラグ２、及び電気機器３を備えている。配線ダクト１は、例えば、パイプ４の前面を被設置面として取り付けられ、この配線ダクト１の前面に、プラグ２を介して表示器や光センサなどの電気機器３が取り付けられる。
【００２４】
プラグ２は、配線ダクト１に着脱可能に保持されると共に、電気機器３に接続され電気機器３に電力及び信号を供給する。なお、配線ダクト１に接続される接続部材はプラグ２に限られるものではなく、複数の配線ダクト１を互いに接続するジョイナ（連結部材）など他の部材も含まれる。図１において、プラグ２には、電気機器３として、配線ダクト１の長手方向の両端に光センサ、配線ダクト１の長手方向の中央部に表示器が取り外し可能に取り付けられる。なお、プラグ２に取り付けられる電気機器３の構成は表示器や光センサに限定されるものではない。
【００２５】
電気機器３は、ＡＣ２４Ｖ等で駆動が可能な弱電仕様の機器であり、比較的軽量な構成となっている。例えば、表示器は、情報を表示するＬＥＤ表示部や液晶表示部を備え、制御コンピュータからの通信信号を受けて、数値表示、ランプ表示や作業者の部品取り出しの可否、取り出し部品数などの作業履歴の表示を行う。光センサは、工場のピッキングシステムなどに用いられる赤外線センサであり、作業者の手による光の遮断を検知し、この検知結果を配線ダクト１を介して通信接続される制御コンピュータに送信する。
【００２６】
次に、配線ダクト１の構造に関して図２及び図３を参照しながら説明する。配線ダクト１は、図２（ａ）に示すように、所定の直線方向（以下、長手方向Ｌ）に延びた成形体である。
【００２７】
配線ダクト１の外郭であるハウジングは、その長手方向Ｌに延びるスリット状の開口空間５を有し、開口空間５を形成する１つの面に導体である電力線１６が設けられ、この面に対向する面に、プラグなどの接続部材を保持する突起部１７（保持部）が設けられる。具体的には、図２（ｂ）に示すように、配線ダクト１は、長手方向Ｌに直交する断面がＵ字形状であり、金属材料からなる金属部１０と、金属部１０の周囲に設けられた絶縁樹脂からなる絶縁体１１とを備えている。金属部１０及び絶縁体１１は、長手方向Ｌに沿って延びている。
【００２８】
配線ダクト１の芯材である金属部１０は、配線ダクト１が設置される設置面に向かい合わせて設けられる基部１３を有している。長手方向Ｌに垂直な断面において上下方向に延びる平板状の基部１３は、長手方向Ｌに沿って延びる。また、長手方向Ｌの垂直断面においてＵ字形状の外形を有する金属部１０は、上側に設けられる上側壁部１４と、下側に設けられる下側壁部１５とを備えている。なお、配線ダクト１のハウジングを樹脂材のみで一体成型することも考え得る。
【００２９】
配線ダクト１は、一対の電力線１６及び一対の突起部（保持部）１７を収納する開口空間５を有すると共に、この開口空間５に連続する開口部１２を有し、この開口部１２は、長手方向Ｌにおいて延びて設けられている。配線ダクト１は、開口部１２側からプラグ２が挿し込まれる。
【００３０】
配線ダクト１の開口空間５を形成する内側上面には、図３（ａ）に示すように、対となる電力線１６ａ，１６ｂが設けられ、これら２つの電力線１６ａ，１６ｂは、内側上面及び内側底面の短手方向中心を通る中心線Ａを中心として、対象となる位置に配置される。なお、配線ダクト１の内部に収容される導体は、電力線に限定されるものではなく、後述する通信線１８ａ，１８ｂを配置することもできる。
【００３１】
配線ダクト１の内側面は比較的フラットな構造であり、この構造により、配線ダクト１の内部に侵入した塵埃を容易に掃除できる。また、塵埃を容易に掃除できるため、塵埃が配線ダクト１の開口空間５に侵入することを防ぐダクトカバーを開口部１２に取り付ける必要がない。さらには、配線ダクト１に取り付けられる電気機器３は、弱電力用で駆動可能な機器であるため、特にダクトカバーを設けなくても火災などの安全上の規定に抵触することがなくなる。
【００３２】
金属部１０は、非磁性体の金属材料であるアルミニウムで構成すると、低い周波数領域において、鉄より電磁波遮蔽の特性が得られることがあるため、アルミニウムで構成される。しかしながら、金属部１０の材料はこれに限定されるものではなく、例えば押し出し成型などで用いられる鉄材を用いてもよい。
【００３３】
絶縁体１１は、絶縁樹脂で形成され、電力線１６及び突起部１７と金属部１０とが接続されないように金属部１０の外周表面を覆うように設けられている。絶縁体１１は、電力線１６及び突起部１７を支持している。従って、金属部１０は、絶縁体１１により電力線１６及び突起部１７と絶縁され、電磁シールドとして機能する。また、絶縁体１１を絶縁樹脂で形成することにより、配線ダクト１を任意の箇所で容易に切断することができフレキシブルで自由度の高い部材とできる。
【００３４】
次に、配線ダクト１の内側底面に形成された突起部１７に関して説明する。突起部１７ａ，１７ｂは、図３（ａ）に示すように、配線ダクト１内に設けられる電力線１６ａ，１６ｂの取付け面である内側上面に対向する内側底面に、電力線１６ａ，１６ｂに対向した位置に設けられる。この突起部１７は、接続部材であるプラグ２を配線ダクト１に固定すると共に、電力線１６とプラグ２との電気的な接続位置を切り替える役目を有する。
【００３５】
突起部１７ａ，１７ｂは、配線ダクト１の内側上面及び内側底面の短手方向中心を通る中心線Ａを中心として、対象となる位置に配置される。また、突起部１７ａ，１７ｂは、図３（ｂ）に示すように、配線ダクト１の長手方向Ｌに沿って均一に延びる形状、又は図３（ｃ）に示すように平面視で楕円形状のものが複数連続配置されて構成される。なお、突起部１７ａ，１７ｂ及び電力線１６ａ，１６ｂは、図３（ｄ）に示すように、中心線Ａを中心として対象とならない位置に配置することも考え得る。
【００３６】
次に、図４を参照して配線ダクト１とプラグ２との接続構造に関して説明する。プラグ２の寸法は、配線ダクト１の寸法に合わせて形成され、プラグ２には上下方向の中央から短手方向に水平に延び、配線ダクト１の開口空間５に嵌合する凸部２ａが形成される。この凸部２ａには、プラグ２の挿入動作に伴い配線ダクト１の内側底面に形成された突起部１７により所定方向（本図では矢印Ｙ１方向）に上昇され、その先端部が配線ダクト１の電力線１６と電気的に接触される栓刃２ｂ（端子）が内蔵される。すなわち、プラグ２の挿し込み操作に伴い、プラグ２の栓刃２ｂと配線ダクト１の電力線１６とが非接続位置から接続位置に切り替わる。
【００３７】
ユーザは、プラグ２を矢印Ｙ２方向に配線ダクト１の開口部１２に挿し込んで、栓刃２ｂを有するプラグ２と配線ダクト１の電力線１６とを接続できる。なお、プラグ２の外側には、プラグ２に取り付けられる電気機器３のコネクタを差し込むためのコネクタ挿入部２ｃが形成されている。
【００３８】
図５は、回転式のプラグ２を示し、プラグ２に形成された凸部２ａが操作部２ｄを用いて回転可能であり、凸部２ａを９０度回転させる動作で栓刃２ｂと電力線１６とを接触させて、配線ダクト１及びプラグ２を非接続位置から接続位置に切り替える。
【００３９】
以上の説明のように、小型薄型化が図られた本実施の形態１に係る配線ダクト１は、その内側底面にプラグ２との接続固定構造となる突起部１７を備える。これにより、ユーザはプラグ２などの接続部材を配線ダクト１に挿し込むだけで配線ダクト１にプラグ２を固定できると共に、配線ダクト１の電力線１６とプラグ２の栓刃２ｂとを電気的に接続できる。
【００４０】
（第１の変形例）
本実施の形態１の第１の変形例について、図６及び図７を参照して説明する。本変形例では、図６（ａ）に示すように、電力線１６ａ，１６ｂ（総称して１６）は、金属部１０の上側壁部１４に設けられた絶縁体１１によって固定されている２つの電力線により構成され、その並び方向が短手方向に平行な方向に、間隔を空けて設けられている。通信線１８ａ，１８ｂ（総称して１８）も、金属部１０の上側壁部１４に設けられた絶縁体１１によって固定されている２つの通信線により構成され、その並び方向は電力線１６と短手方向において連続し、短手方向に平行な方向に、間隔を空けて設けられている。
【００４１】
突起部１７は、電力線１６及び通信線１８に対向した内側底面に設けられる。また、突起部１７は、図６（ｂ）に示すように、配線ダクト１の長手方向に沿って均一に延びる形状や、図６（ｃ）に示すように平面視で楕円形状のものが複数連続配置されて構成される。なお、電力線１６及び通信線１８の配置は図６（ａ）に示す以外に、図６（ｄ）に示すように、中心線Ａと対象とならないオフセット位置に配置することも考え得る。要は、配線ダクト１の内側底面に設けられた突起部１７を用いて、プラグ２側の栓刃２ｂが電力線１６及び通信線との電気的な接続位置に切り替わればよい。
【００４２】
このように、本変形例では、配線ダクト１に電力線１６及び通信線１８を収容することにより、電力供給と通信信号の多伝送が可能となり、電力供給と通信信号を必要とする電気機器３を配線ダクト１に接続する場合でも、必要なケーブル数を少なくできる。
【００４３】
なお、配線ダクト１に形成される突起部１７の垂直形状は、半円形上に限定されるものではない。図７（ａ）及び図７（ｂ）に示すように。その垂直断面を、三角形状又は多角形状とすることも考え得る。これにより、接続部材の構成が任意で決定できる。また、図７（ｃ）に示すように、電力線１６と突起部１７との短手方向中心の位置をずらすことによりプラグ２の栓刃２ｂの構造を大きくできる。
【００４４】
（実施の形態２）
以下、本発明に係る配線ダクトシステムの実施の形態２に関して図８を参照して説明する。なお、上記実施の形態１に係る配線ダクト１と同様の構成には同符号を付し、その詳細な説明は省略する。図８に示す配線ダクト１は、配線ダクト１の上下方向の中央から短手方向に向かって延設され、プラグ２に嵌合する凸部１９が形成される。
【００４５】
図８（ａ）においては、配線ダクト１は２つの開口空間５ａ，５ｂを有する。開口空間５ａの内側上面に一対の電力線１６が設けられ、開口空間５ｂの内側底面には一対の通信線１８が配設されている。凸部１９の上側面及び下側面には電力線１６及び通信線１８に対向する位置に突起部１７が設けられている。すなわち、配線ダクト１は、対となる電力線１６及び対となる突起部１７を備えるユニットＵ１、及び対となる通信線１８及び対となる突起部１７を備えるユニットＵ２を有する。この構成により、導体である電力線１６及び通信線１８間の離間距離が大きくでき、短絡の抑制及びノイズの影響などを抑制することができ、導体間の伝送特性を向上させることができる。また、複数のユニットを備えることで、配線ダクト１内に設けられる電力線１６や通信線１８の拡張性を有して種々の電気機器３を配線ダクト１に接続可能となる。
【００４６】
図８（ｂ）においては、開口空間５ａの内側上面に一対の電力線１６が設けられ、開口空間５ｂの内側底面には一対の突起部１７が配設されている。凸部１９の上側面には電力線１６に対向する位置に突起部１７が設けられ、下側面には突起部１７に対向する位置に通信線１８が設けられている。この構成により、導体である電力線１６及び通信線１８の離隔距離は図８（ａ）の場合より近接することになるが、電力線１６及び通信線１８が共に内側上面に設けられるので、防水及び防塵の特性を向上させることができる。また、配線ダクト１の構成を簡単にすることができる。
【００４７】
図８（ｃ）では、配線ダクト１内に設けられる電力線１６、通信線１８及び突起部１７の配置は図８（ａ）の場合と同様である。しかしながら、上側の開口空間５ａに収容される電力線１６及び突起部１７の短手方向中心線Ｂと、下側の開口空間５ｂに収容される通信線１８及び突起部１７の短手方向中心線Ｃとがずれたオフセット位置に配置される。この構成により、導体である電力線１６及び通信線１８間の離間距離が大きくして導体間の伝送特性（ストローク性能）を向上させることができると共に、配線ダクト１に対するプラグ２の上下方向の誤挿入を防止できる。
【００４８】
図８（ｄ）では、配線ダクト１内に設けられる電力線１６、通信線１８及び突起部１７の配置は図８（ｂ）の場合と同様である。しかしながら、配線ダクト１の上側の開口空間５ａに収容される電力線１６及び突起部１７の短手方向中心線Ｂと、下側の開口空間５ｂに収容される通信線１８及び突起部１７の短手方向中心線Ｃとがずれた（オフセット）位置に配置される。この構成により、導体である電力線１６及び通信線１８が共に内側上面に設けられるので、防水及び防塵の特性が向上する。また、配線ダクト１に対するプラグ２の上下方向の誤挿入を防止できる。
【００４９】
なお、本発明は、上記実施の形態の構成に限られず、発明の趣旨を変更しない範囲で種々の変形が可能である。例えば、図９に示すように、配線ダクト１に複数のユニットを増設することができる。図９（ａ）では、配線ダクト１にユニットＵ１からＵ３を設けて、各ユニットＵ１からＵ３に電力線１６や通信線１８を収容する。この構成により、配線ダクト１内に設ける電力線１６や通信線１８の拡張性を高めて、複数の電気機器３を配線ダクト１に同時に接続することが可能となる。
【符号の説明】
【００５０】
１  配線ダクト
２  プラグ（接続部材）
２ａ  凸部
２ｂ  栓刃
３  電気機器
４  パイプ
５，５ａ，５ｂ，５ｃ  開口空間
１０  金属部
１１  絶縁部
１２  開口部
１６，１６ａ，１６ｂ  電力線
１７，１７ａ，１７ｂ  突起部（保持部）
１８，１８ａ，１８ｂ  通信線
１９  凸部
Ａ，Ｂ，Ｃ  中心線（基準線）
Ｓ  配線ダクトシステム
【図１】
0005945811.tif 000002
【図２】
0005945811.tif 000003
【図３】
0005945811.tif 000004
【図４】
0005945811.tif 000005
【図５】
0005945811.tif 000006
【図６】
0005945811.tif 000007
【図７】
0005945811.tif 000008
【図８】
0005945811.tif 000009
【図９】
0005945811.tif 000010
【図１０】
0005945811.tif 000011